(57)【要約】【課題】  印刷物と同等に頁間を素早く移動することにより、目的の情報および関連情報を素早く入手することが可能な電子書籍を提供することを目的とする。【解決手段】  ディスプレイ上に三次元立体物として書籍の形状を再現する書籍モデルデータと、書籍モデルデータにおいて頁を再現する頁モデルにマッピングする画像データと、画像を重ねて表示した頁モデルの少なくとも見開き２頁分の上に、更に透明状態で重ねて表示することにより該頁上の位置指定個所の座標を取得可能にする透明グリッドデータと、該位置指定個所の座標に対応してディスプレイに表示する関連データと、位置指定個所と関連データの所在を関連付けて記録するリンク情報と、書籍モデルデータ、画像データ、透明グリッドデータ、関連データ、およびリンク情報に基づき電子書籍をディスプレイ上に表示し操作を可能にする電子書籍閲覧手段とを設けたを備えた電子書籍を提供する。【選択図】  図１
2005063287.tif 000002
【特許請求の範囲】
【請求項１】
ディスプレイに表示して閲覧する電子書籍であって、
ディスプレイ上に三次元立体物として書籍の形状を再現する書籍モデルデータと、
前記書籍モデルデータにおいて頁を再現する頁モデルにマッピングする画像データと、
前記画像を重ねて表示した前記頁モデルの少なくとも見開き２頁分の上に、更に透明状態で重ねて表示することにより、該頁上の位置指定個所の座標を取得可能にする透明グリッドデータと、
該位置指定個所の座標に対応してディスプレイに表示する関連データと、
前記位置指定個所と前記関連データの所在を関連付けて記録するリンク情報と、
前記書籍モデルデータ、前記画像データ、前記透明グリッドデータ、前記関連データ、および前記リンク情報に基づき、電子書籍をディスプレイ上に表示し操作を可能にする電子書籍閲覧手段と、
を備えることを特徴とする電子書籍。
【請求項２】
請求項１記載の電子書籍であって、
前記電子書籍閲覧手段が、
前記書籍モデルデータをディスプレイ上に三次元立体表示し、表示する頁モデルの動作や表示形状に合わせて、前記画像データを前記頁モデルの所定位置に動的にマッピングし、更に、前記透明グリッドデータを前記頁モデルの動作や表示形状に合わせて透明状態で重ねて表示する三次元表示手段、
を備えることを特徴とする電子書籍。
【請求項３】
請求項１または２記載の電子書籍であって、
前記電子書籍閲覧手段が、
頁捲りアニメーション動作により表示した見開き２頁から前後の他の頁へ移動する頁捲り手段、
を備えることを特徴とする電子書籍。
【請求項４】
請求項１から３のいずれかに記載の電子書籍であって、
前記電子書籍閲覧手段が、
所定の操作に基づいて、前記書籍モデルデータにより再現した電子書籍に対して、書籍を開く、書籍を閉じる、書棚から取り出す、書棚に戻す、各動作をアニメーションにより再現するアニメーション手段、
を備えることを特徴とする電子書籍。
【請求項５】
請求項１から４のいずれかに記載の電子書籍であって、
前記電子書籍閲覧手段が、
所定の操作に基づいて、ディスプレイ上に三次元立体画像により再現した電子書籍を、拡大、縮小、回転、移動させる三次元立体操作手段、
を備えることを特徴とする電子書籍。
【請求項６】
請求項１から５のいずれかに記載の電子書籍であって、
前記アニメーション手段および前記三次元立体操作手段が、
前記電子書籍閲覧手段により表示されたボタンを押下する、または前記書籍モデルデータにより再現した電子書籍に対してポインティング装置でドラッグ操作を行う、
ことに基づいて、アニメーションまたは三次元立体物の操作を行うことを特徴とする電子書籍。
【請求項７】
請求項１から６のいずれかに記載の電子書籍であって、
前記電子書籍閲覧手段が、
所定の操作により前記表示した見開き２頁内の位置指定が行われた場合、該位置指定個所に対応する前記関連データをディスプレイ上の所定位置に表示する関連表示手段、
を備えることを特徴とする電子書籍。
【請求項８】
請求項１から７のいずれかに記載の電子書籍であって、
前記電子書籍閲覧手段が、
Ｗｅｂ３Ｄが実行可能なＷｅｂブラウザ上で動作する、
ことを特徴とする電子書籍。
【請求項９】
請求項１から８のいずれかに記載の電子書籍であって、
前記書籍モデルデータ、前記画像データ、前記透明グリッドデータ、および前記リンク情報が、
ネットワークを介して接続されたサーバの記憶装置、または前記電子書籍閲覧手段が動作するクライアントの記憶装置、または着脱可能な記憶媒体に記憶されている、
ことを特徴とする電子書籍。
【請求項１０】
請求項１から９のいずれかに記載の電子書籍であって、
前記関連データが、
前記電子書籍閲覧手段が前記リンク情報に基づいてアクセス可能な、前記サーバ、または前記クライアント、または他のコンピュータシステムに記憶されている、
ことを特徴とする電子書籍。
【請求項１１】
請求項１から１０のいずれかに記載の電子書籍であって、
前記画像データが、
印刷物の書籍の１頁をデジタル化した画像データ、または印刷物の書籍の１頁を構成する複数の文字および画像をデジタル化した画像データ、
から成ることを特徴とする電子書籍。
【請求項１２】
請求項１から１１のいずれかに記載の電子書籍であって、
前記リンク情報が、
少なくとも、頁情報、該頁内の座標情報、および前記関連データの所在情報、
から成ることを特徴とする電子書籍。
【請求項１３】
請求項１から１２のいずれかに記載の電子書籍であって、
前記関連データが、
位置指定個所に対応する画像データ、Ｗｅｂページデータ、三次元立体モデルデータのいずれか、または組み合わせである、
ことを特徴とする電子書籍。
【請求項１４】
請求項１から１３のいずれかに記載の電子書籍であって、
該電子書籍が、商品情報を掲載する電子カタログである、
ことを特徴とする電子書籍。
【請求項１５】
請求項１から１４のいずれかに記載の電子書籍であって、
前記書籍モデルデータにより再現された電子書籍に対して、栞を再現する栞モデルデータと、
前記電子書籍において栞を挿入した位置を記録する栞位置データと、
を備えることを特徴とする電子書籍。
【請求項１６】
請求項１から１５のいずれかに記載の電子書籍であって、
前記電子書籍閲覧手段が、
栞を挿入する位置を指定する栞挿入位置指定手段と、
栞挿入位置情報を前記栞位置データに記録する栞位置記録手段と、
前記書籍モデルデータから電子書籍を三次元立体表示する際に、前記栞位置データを参照し、前記栞挿入位置情報に基づいて、前記栞モデルデータから該当する位置に栞モデルを再現する栞表示手段と、
を備えることを特徴とする電子書籍。
【請求項１７】
ディスプレイに表示して閲覧する電子書籍の表示方法であって、
書籍モデルデータを読み込み、ディスプレイ上に三次元立体の書籍モデルを表示する段階と、
前記書籍モデルを開く際に、最初に表示する頁を設定する段階と、
前記書籍モデルの第１の頁モデルに、前記最初に表示する頁に対応付けて予め用意した画像データをマッピングし、第２の頁モデルに次の頁に対応付けて用意した画像データをマッピングして表示する段階と、
を設けたことを特徴とする電子書籍表示方法。
【請求項１８】
請求項１７記載の電子書籍表示方法であって、
更に、少なくとも表示されている見開き２頁分の頁モデルに対して、該頁上の位置指定個所の座標を取得する透明グリッドデータを透明状態で重ねて表示する段階と、
所定の操作により前記表示した頁内の位置指定が行われた場合、前記透明グリッドデータにより位置指定個所の座標を取得する段階と、
前記座標によりリンク情報に基づいて、該位置指定個所に対応する関連データをディスプレイ上の所定位置に表示する段階と、
を設けたことを特徴とする電子書籍表示方法。
【請求項１９】
請求項１７または１８記載の電子書籍表示方法であって、
所定の操作に基づき、前記書籍モデルに対して、書籍を開く、書籍を閉じる、頁を捲る、書棚から取り出す、書棚に戻す、拡大、縮小、回転、移動の各動作を再現する段階と、
前記マッピングした画像データおよび前記透明グリッドデータを、表示している見開き２頁の頁モデルの動作および表示形状に追随させる段階と、
を設けたことを特徴とする電子書籍表示方法。
【請求項２０】
請求項１７から１９のいずれかに記載の電子書籍表示方法であって、
前記電子書籍の表示した前記頁モデルに対して、頁モデルの任意の位置でポインティング装置のボタンを押下し、ボタンを押下したままの該ポインター装置の移動に追随して頁捲りアニメーションを再現する段階、
を設けたことを特徴とする電子書籍表示方法。
【請求項２１】
請求項１７から２０のいずれかに記載の電子書籍表示方法であって、
前記書籍モデルデータが、少なくとも
第１の頁モデルと、
前記第１の頁モデルと見開き２頁の対を成す第２の頁モデルと、
前記第２の頁モデルと表裏の関係を成す第３の頁モデルと、
前記第３の頁と見開き２頁の対を成す第４の頁モデルと、
の４頁分の頁モデルを備え、
表示している頁モデルの一方を基準頁として特定する段階と、
開いている第１の頁モデルに、前記基準頁に対応する第１の画像データをマッピングする段階と、
見開き状態の第２の頁モデルに、前記基準頁の次に対応する第２の画像データをマッピングする段階と、
後続の頁へ移動するために頁捲りを開始する段階と、
前記第２の頁モデルを捲るアニメーション動作により見え始める第４の頁モデルに、前記基準頁から３頁目に対応する第４の画像データをマッピングする段階と、
前記第２の頁モデルの裏側として見え始める第３の頁モデルに、前記基準頁から２頁目に対応する第３の画像データをマッピングする段階と、
前記第２の頁モデルの裏側の前記第３の頁モデルが捲り終わった時に、前記第１の頁モデルに前記第３の画像データをマッピングする段階と、
前記第３の頁モデルを透明にして、前記第４の頁モデルの方向に捲り戻す段階と、
前記透明な第３の頁モデルが捲られ、戻り切った時に、前記第３の頁モデルの裏側として表示される前記第２の頁モデルに前記第４の画像をマッピングする段階と、
を行うことにより頁を進めるアニメーションを再現することを特徴とする電子書籍表示方法。
【請求項２２】
請求項１７から２１のいずれかに記載の電子書籍表示方法であって、
前記書籍モデルデータが、少なくとも
第１の頁モデルと、
前記第１の頁モデルと見開き２頁の対を成す第２の頁モデルと、
前記第２の頁モデルと表裏の関係を成す第３の頁モデルと、
前記第３の頁と見開き２頁の対を成す第４の頁モデルと、
の４頁分の頁モデルを備え、
表示している頁モデルの一方を基準頁として特定する段階と、
開いている第１の頁モデルに、前記基準頁に対応する第１の画像データをマッピングする段階と、
見開き状態の第２の頁モデルに、前記基準頁の次に対応する第２の画像データをマッピングする段階と、
前の頁へ移動するために頁戻りを指示する段階と、
前記第２の頁モデルを透明にして、前記第１の頁モデルの方へ捲る段階と、
前記透明な第２の頁モデルが捲り終わり、前記第２の頁モデルの裏側として表示される前記第３の頁モデルに前記第１の画像をマッピングする段階と、
前記透明な第２の頁モデルが捲り終わることにより、前記第３の頁モデルの見開きとして表示される前記第４の頁モデルに前記第２の画像データをマッピングする段階と、
前記第３の頁モデルを頁戻り方向へ捲り始める段階と、
前記第３の頁モデルを捲るアニメーション動作により見え始める第１の頁モデルに、前記基準頁から２頁前に対応する第３の画像データをマッピングする段階と、
前記第３の頁モデルが捲られることにより前記第３の頁モデルの裏側として見え始める前記第２の頁モデルに、前記基準頁の１頁前に対応する第４の画像データをマッピングする段階と、
を設けることにより頁を戻るアニメーションを再現することを特徴とする電子書籍表示方法。
【請求項２３】
請求項１７から２２のいずれかに記載の電子書籍表示方法であって、
前記頁捲り動作により、見えていた頁が頁捲り動作により見えなくなる場合に、該頁モデルにマッピングしていた画像データを破棄する段階、
を設けたことを特徴とする電子書籍表示方法。
【請求項２４】
請求項１７から２３のいずれかに記載の電子書籍表示方法であって、
前記書籍モデルデータ、前記画像データ、前記透明グリッドデータ、および前記リンク情報を、ネットワークを介して接続されたサーバの記憶装置、またはクライアントの記憶装置、または着脱可能な記憶媒体に記憶する段階と、
該電子書籍を表示するクライアントの前記電子書籍閲覧手段の要求により、前記記憶した各データを、前記電子書籍閲覧手段に提供する段階と、
を設けたことを特徴とする電子書籍表示方法。
【請求項２５】
請求項１７から２４のいずれかに記載の電子書籍表示方法であって、
前記頁モデルに対して栞を挿入する位置を指定する段階と、
前記指定した栞挿入位置情報を栞位置データに記録する段階と、
前記書籍モデルデータから電子書籍を三次元立体表示する際に、前記栞位置データを参照し、前記栞挿入位置情報に基づいて、予め用意した栞モデルデータを該当する位置に再現する段階と、
を設けたことを特徴とする電子書籍表示方法。
【請求項２６】
コンピュータを請求項１から２５に係る電子書籍および電子書籍表示方法として動作可能にするプログラム。
【請求項２７】
コンピュータを請求項１から２５に係る電子書籍よび電子書籍表示方法として動作可能にするプログラムを記録したコンピュータ読み取り可能な記録媒体。
【請求項２８】
書籍モデルデータを読み込み、ディスプレイ上に表示した三次元立体の書籍モデルの各頁に対応付けて用意した画像データを重ねて表示する電子書籍の制作方法であって、
前記画像データを、
印刷物の書籍の１頁、または印刷物の書籍の１頁を構成する複数の文字および画像をデジタル化して作成する、
ことを特徴とする電子書籍制作方法。
【請求項２９】
請求項２８記載の電子書籍制作方法であって、
前記リンク情報を、
前記印刷物の書籍の１頁、または印刷物の書籍の１頁を構成する複数の文字および画像をデジタル化する際に、前記リンク情報の一部として、少なくとも、掲載頁情報および該頁内の座標情報を記録する、
ことを特徴とする電子書籍制作方法。
【発明の詳細な説明】
【技術分野】
【０００１】
本発明は、デジタルデータをディスプレイ上に表示して閲覧可能な電子書籍に関し、特に、電子書籍の表示および制作に関するものである。
【背景技術】
【０００２】
従来、書籍などの、文字、静止画、線画などを紙の上に印刷した印刷物は、人間が直接目視できる読み易い形で提供されており、広く普及している。
【０００３】
近年、紙の節約、嵩張る紙の輸送や保管費の削減のために、電子的または磁気的な情報記録媒体やネットワークを情報の供給元とし、ディスプレイに表示して閲覧するデジタルデータによる電子書籍が提供されるようになってきている。
【０００４】
係る電子書籍においては、読者の要求に合った最適な方法で自動頁捲り中の動画表示を行える電子書籍表示装置がある（例えば、特許文献１参照）。
【特許文献１】特開平８−３１４４２２号公報  しかしながら、従来の電子書籍は、一定間隔で自動的に頁が移動してしまうか、頁捲りの間隔を読者が指定できるだけであり、印刷物と同等に、頁間を自由に行き来することにより関連する情報間を何度も往来する場合に、操作が困難であるという問題がある。
【発明の開示】
【発明が解決しようとする課題】
【０００５】
本発明は、上述の問題に鑑みてなされたものであり、印刷物と同等に頁間を素早く移動することにより、目的の情報および関連情報を素早く入手することが可能な電子書籍を提供することを目的とする。
【課題を解決するための手段】
【０００６】
上記目的を達成するために、本発明の第１の態様は、ディスプレイに表示して閲覧する電子書籍において、ディスプレイ上に三次元立体物として書籍の形状を再現する書籍モデルデータと、前記書籍モデルデータにおいて頁を再現する頁モデルにマッピングする画像データと、前記画像を重ねて表示した前記頁モデルの少なくとも見開き２頁分の上に、更に透明状態で重ねて表示することにより該頁上の位置指定個所の座標を取得可能にする透明グリッドデータと、該位置指定個所の座標に対応してディスプレイに表示する関連データと、前記位置指定個所と前記関連データの所在を関連付けて記録するリンク情報と、前記書籍モデルデータ、前記画像データ、前記透明グリッドデータ、前記関連データ、および前記リンク情報に基づき電子書籍をディスプレイ上に表示し操作を可能にする電子書籍閲覧手段とを設けたものである。
【０００７】
本発明の第２の態様は、上述の第１の態様に係る電子書籍において、前記電子書籍閲覧手段に、前記書籍モデルデータをディスプレイ上に三次元立体表示し、表示する頁モデルの動作や表示形状に合わせて、前記画像データを前記頁モデルの所定位置に動的にマッピングし、更に、前記透明グリッドデータを前記頁モデルの動作や表示形状に合わせて透明状態で重ねて表示する三次元表示手段を設けたものである。
【０００８】
本発明の第３の態様は、上述の第１または２の態様に係る電子書籍において、前記電子書籍閲覧手段に、頁捲りアニメーション動作により表示した見開き２頁から前後の他の頁へ移動する頁捲り手段を設けたものである。
【０００９】
本発明の第４の態様は、上述の第１から３の態様に係る電子書籍において、前記電子書籍閲覧手段に、所定の操作に基づいて、前記書籍モデルデータにより再現した電子書籍に対して、書籍を開く、書籍を閉じる、書棚から取り出す、書棚に戻す、各動作をアニメーションにより再現するアニメーション手段を設けたものである。
【００１０】
本発明の第５の態様は、上述の第１から４の態様に係る電子書籍において、前記電子書籍閲覧手段に、所定の操作に基づいて、ディスプレイ上に三次元立体画像により再現した電子書籍を、拡大、縮小、回転、移動させる三次元立体操作手段を設けたものである。
【００１１】
本発明の第６の態様は、上述の第１から５の態様に係る電子書籍において、前記電子書籍閲覧手段に、前記アニメーション手段および前記三次元立体操作手段が、前記電子書籍閲覧手段により表示されたボタンを押下する、または前記書籍モデルデータにより再現した電子書籍に対してポインティング装置でドラッグ操作を行う、ことに基づいてアニメーションまたは三次元立体物の操作を行うように構成したものである。
【００１２】
本発明の第７の態様は、上述の第１から６の態様に係る電子書籍において、前記電子書籍閲覧手段に、所定の操作により前記表示した見開き２頁内の位置指定が行われた場合、該位置指定個所に対応する前記関連データをディスプレイ上の所定位置に表示する関連表示手段を設けたものである。
【００１３】
本発明の第８の態様は、上述の第１から７の態様に係る電子書籍において、前記電子書籍閲覧手段が、Ｗｅｂ３Ｄが実行可能なＷｅｂブラウザ上で動作するようにしたものである。
【００１４】
本発明の第９の態様は、上述の第１から８の態様に係る電子書籍において、前記書籍モデルデータ、前記画像データ、前記透明グリッドデータ、および前記リンク情報を、ネットワークを介して接続されたサーバの記憶装置または前記電子書籍閲覧手段が動作するクライアントの記憶装置または着脱可能な記憶媒体に記憶するようにしたものである。
【００１５】
本発明の第１０の態様は、上述の第１から９の態様に係る電子書籍において、前記関連データを、前記電子書籍閲覧手段が前記リンク情報に基づいてアクセス可能な、前記サーバまたは前記クライアントまたは他のコンピュータシステムに記憶するようにしたものである。
【００１６】
本発明の第１１の態様は、上述の第１から１０の態様に係る電子書籍において、前記画像データを、印刷物の書籍の１頁をデジタル化した画像データまたは印刷物の書籍の１頁を構成する複数の文字および画像をデジタル化した画像データにより構成するようにしたものである。
【００１７】
本発明の第１２の態様は、上述の第１から１１の態様に係る電子書籍において、前記リンク情報を、少なくとも、頁情報、該頁内の座標情報および前記関連データの所在情報により構成するようにしたものである。
【００１８】
本発明の第１３の態様は、上述の第１から１２の態様に係る電子書籍において、前記関連データを、位置指定個所に対応する画像データ、Ｗｅｂページデータ、三次元立体モデルデータのいずれか、または組み合わせにより構成するようにしたものである。
【００１９】
本発明の第１４の態様は、上述の第１から１３の態様に係る電子書籍において、該電子書籍が、商品情報を掲載する電子カタログを構成するものである。
【００２０】
本発明の第１５の態様は、上述の第１から１４の態様に係る電子書籍において、前記書籍モデルデータにより再現された電子書籍に対して栞を再現する栞モデルデータと、前記電子書籍において栞を挿入した位置を記録する栞位置データとを設けたものである。
【００２１】
本発明の第１６の態様は、上述の第１から１５の態様に係る電子書籍において、前記電子書籍閲覧手段に、栞を挿入する位置を指定する栞挿入位置指定手段と、栞挿入位置情報を前記栞位置データに記録する栞位置記録手段と、前記書籍モデルデータから電子書籍を三次元立体表示する際に、前記栞位置データを参照し、前記栞挿入位置情報に基づいて前記栞モデルデータから該当する位置に栞モデルを再現する栞表示手段とを設けたものである。
【００２２】
本発明の第１７の態様は、ディスプレイに表示して閲覧する電子書籍の表示方法において、書籍モデルデータを読み込み、ディスプレイ上に三次元立体の書籍モデルを表示する段階と、前記書籍モデルを開く際に、最初に表示する頁を設定する段階と、前記書籍モデルの第１の頁モデルに、前記最初に表示する頁に対応付けて予め用意した画像データをマッピングし、第２の頁モデルに次の頁に対応付けて用意した画像データをマッピングして表示する段階とを行うようにしたものである。
【００２３】
本発明の第１８の態様は、上述の第１７の態様に係る電子書籍表示方法において、更に、少なくとも表示されている見開き２頁分の頁モデルに対して、該頁上の位置指定個所の座標を取得する透明グリッドデータを透明状態で重ねて表示する段階と、所定の操作により前記表示した頁内の位置指定が行われた場合、前記透明グリッドデータにより位置指定個所の座標を取得する段階と、前記座標によりリンク情報に基づいて該位置指定個所に対応する関連データをディスプレイ上の所定位置に表示する段階とを行うようにしたものである。
【００２４】
本発明の第１９の態様は、上述の第１７または１８の態様に係る電子書籍表示方法において、所定の操作に基づき、前記書籍モデルに対して、書籍を開く、書籍を閉じる、頁を捲る、書棚から取り出す、書棚に戻す、拡大、縮小、回転、移動の各動作を再現する段階と、前記マッピングした画像データおよび前記透明グリッドデータを、表示している見開き２頁の頁モデルの動作および表示形状に追随させる段階とを行うようにしたものである。
【００２５】
本発明の第２０の態様は、上述の第１７から１９の態様に係る電子書籍表示方法において、前記電子書籍の表示した前記頁モデルに対して、頁モデルの任意の位置でポインティング装置のボタンを押下し、ボタンを押下したままの該ポインター装置の移動に追随して頁捲りアニメーションを再現する段階を行うようにしたものである。
【００２６】
本発明の第２１の態様は、上述の第１７から２０の態様に係る電子書籍表示方法において、前記書籍モデルデータに、少なくとも第１の頁モデルと、前記第１の頁モデルと見開き２頁の対を成す第２の頁モデルと、前記第２の頁モデルと表裏の関係を成す第３の頁モデルと、前記第３の頁モデルと見開き２頁の対を成す第４の頁モデルとの４頁分の頁モデルを設け、表示している頁モデルの一方を基準頁として特定する段階と、開いている第１の頁モデルに前記基準頁に対応する第１の画像データをマッピングする段階と、見開き状態の第２の頁モデルに前記基準頁の次に対応する第２の画像データをマッピングする段階と、後続の頁へ移動するために頁捲りを開始する段階と、前記第２の頁モデルを捲る動作により見え始める第４の頁モデルに前記基準頁から３頁目に対応する第４の画像データをマッピングする段階と、前記第２の頁モデルの裏側として見え始める第３の頁モデルに前記基準頁から２頁目に対応する第３の画像データをマッピングする段階と、前記第２の頁モデルの裏側の前記第３の頁モデルが捲り終わった時に前記第１の頁モデルに前記第３の画像データをマッピングする段階と、前記第３の頁モデルを透明にして前記第４の頁モデルの方向に捲り戻す段階と、前記透明な第３の頁モデルが捲られ戻り切った時に前記第３の頁モデルの裏側として表示される前記第２の頁モデルに前記第４の画像をマッピングする段階と、を行うことにより頁を進めるアニメーションを再現するようにしたものである。
【００２７】
本発明の第２２の態様は、上述の第１７から２１の態様に係る電子書籍表示方法において、前記書籍モデルデータに、少なくとも第１の頁モデルと、前記第１の頁モデルと見開き２頁の対を成す第２の頁モデルと、前記第２の頁モデルと表裏の関係を成す第３の頁モデルと、前記第３の頁モデルと見開き２頁の対を成す第４の頁モデルとの４頁分の頁モデルを設け、表示している頁モデルの一方を基準頁として特定する段階と、開いている第１の頁モデルに前記基準頁に対応する第１の画像データをマッピングする段階と、見開き状態の第２の頁モデルに前記基準頁の次に対応する第２の画像データをマッピングする段階と、前の頁へ移動するために頁戻りを指示する段階と、前記第２の頁モデルを透明にして前記第１の頁モデルの方へ捲る段階と、前記透明な第２の頁モデルが捲り終わり前記第２の頁モデルの裏側として表示される前記第３の頁モデルに前記第１の画像をマッピングする段階と、前記透明な第２の頁モデルが捲り終わることにより前記第３の頁モデルの見開きとして表示される前記第４の頁モデルに前記第２の画像データをマッピングする段階と、前記第３の頁モデルを頁戻り方向へ捲り始める段階と、前記第３の頁を捲る動作により見え始める第１の頁モデルに前記基準頁から２頁前に対応する第３の画像データをマッピングする段階と、前記第３の頁モデルが捲られることにより前記第３の頁モデルの裏側として見え始める前記第２の頁モデルに前記基準頁の１頁前に対応する第４の画像データをマッピングする段階と、を設けることにより頁を戻るアニメーションを再現するようにしたものである。
【００２８】
本発明の第２３の態様は、上述の第１７から２２の態様に係る電子書籍表示方法において、前記頁捲り動作により見えていた頁が頁捲り動作により見えなくなる場合に、該頁モデルにマッピングしていた画像データを破棄する段階を行うようにしたものである。
【００２９】
本発明の第２４の態様は、上述の第１７から２３の態様に係る電子書籍表示方法において、前記書籍モデルデータ、前記画像データ、前記透明グリッドデータ、および前記リンク情報をネットワークを介して接続されたサーバの記憶装置またはクライアントの記憶装置または着脱可能な記憶媒体に記憶する段階と、該電子書籍を表示するクライアントの前記電子書籍閲覧手段の要求により前記記憶した各データを前記電子書籍閲覧手段に提供する段階とを行うようにしたものである。
【００３０】
本発明の第２５の態様は、上述の第１７から２４の態様に係る電子書籍表示方法において、前記頁モデルに対して栞を挿入する位置を指定する段階と、前記指定した栞挿入位置情報を栞位置データに記録する段階と、前記書籍モデルデータから電子書籍を三次元立体表示する際に、前記栞位置データを参照し、前記栞挿入位置情報に基づいて予め用意した栞モデルデータを該当する位置に再現する段階とを行うようにしたものである。
【００３１】
本発明の第２６の態様は、コンピュータを上述の第１から２５の態様に係る電子書籍および電子書籍表示方法として動作可能にするプログラムを提供するようにしたものである。
【００３２】
本発明の第２７の態様は、コンピュータを上述の第１から２５の態様に係る電子書籍および電子書籍表示方法として動作可能にするプログラムを記録したコンピュータ読み取り可能な記録媒体を提供するようにしたものである。
【００３３】
本発明の第２８の態様は、書籍モデルデータを読み込み、ディスプレイ上に表示した三次元立体の書籍モデルの各頁に対応付けて用意した画像データを重ねて表示する電子書籍の制作方法において、前記画像データを、印刷物の書籍の１頁または印刷物の書籍の１頁を構成する複数の文字および画像をデジタル化して作成するようにしたものである。
【００３４】
本発明の第２９の態様は、上述の第２８の態様に係る電子書籍制作方法において、前記リンク情報を、前記印刷物の書籍の１頁または印刷物の書籍の１頁を構成する複数の文字および画像をデジタル化する際に、前記リンク情報の一部として、少なくとも、掲載頁情報および該頁内の座標情報を記録するようにしたものである。
【発明の効果】
【００３５】
本発明に係る電子書籍および電子書籍表示方法によれば、三次元立体物で表示された電子書籍に対して、少なくとも表示する見開き２頁に画像データをマッピングすること、および頁捲りのアニメーションにより、印刷物と同様な見開きによる閲覧が可能となる。
【００３６】
また、印刷物をデジタル化した画像データをマッピングすることにより、回転、移動、拡大、縮小した場合においても、目視により凡そ当該頁にどのような内容が掲載されているか理解することができる。
【００３７】
また、４頁分の頁モデルに表示の都度動的に画像データをマッピングすることにより、後続頁の移動だけでなく頁を戻る場合においても、頁捲りの動作を再現することが可能となる。
【００３８】
また、三次元表示された各頁において、透明グリッドデータを重ねて表示することにより、該頁内において所定の動作で位置指定した個所の座標を取得し、リンク情報に基づいて、関連するデータを所定の場所に表示することが可能になる。
【００３９】
また、印刷物の１頁全体、または印刷物の１頁を構成する複数の文字列や画像から、マッピングする画像データやリンク情報の一部を生成することができるため、効率的に電子書籍を制作することができる。
【発明を実施するための最良の形態】
【００４０】
以下、本発明を図示する実施形態に基づいて説明する。図１は、本発明の電子書籍の一実施例を示す構成図である。
【００４１】
電子書籍は、書籍モデルデータ１、画像データ２、透明グリッドデータ３、関連データ４、リンク情報５、電子書籍閲覧手段６を備えており、ディスプレイ上に表示して閲覧するものである。
【００４２】
書籍モデルデータ１は、書籍を三次元モデル化したデジタルデータであり、ディスプレイ上に三次元立体物として、書籍のモデルを再現するものである。
【００４３】
画像データ２は、書籍三次元モデルの頁の表面絵柄としてマッピングするための、例えば、ＪＰＥＧ形式などのビットマップデータであり、例えば、「Ｐ１．ｊｐｇ」のように頁番号をファイル名称の一部として設定することなどにより、頁が特定できればどの画像データをマッピングするかが判別可能な関連付けを行ったものである。
【００４４】
本発明において、画像データ２は、印刷した書籍の１頁全体、または該１頁を構成する文字列や画像の各々をビットマップに変換した複数の画像データであり、印刷した書籍の各頁を再現可能な画像データである。
【００４５】
透明グリッドデータ３は、図２に概念を示すように、電子書籍閲覧手段６により表示される頁の座標を取得するための、１頁が微細な領域（破線で示す。実際には透明で、目視による確認はできない）に分割された透明な座標取得用のデータであり、少なくとも見開き２頁分のデータである。
【００４６】
関連データ４は、電子書籍閲覧手段６により表示された電子書籍の頁上が、マウスなどのポインティング装置でクリックされた場合などに、当該位置指定個所に関連してディスプレイ上の所定の位置に表示されるものであり、例えば、位置指定個所に掲載されているものに対する詳細の説明や写真などである。
【００４７】
関連データ４は、当該位置指定個所に表示されているものに関連して再生および閲覧が可能であれば、ＪＰＥＧなどの画像データ、ＨＴＭＬ（ＨｙｐｅｒＴｅｘｔ  Ｍａｒｋｕｐ  Ｌａｎｇｕａｇｅ）で記述されたＷｅｂページ、映像データ、音声データ、または三次元モデルデータのいずれか、または組み合わせのいずれでも任意である。
【００４８】
リンク情報５は、図３に例示するように、少なくとも頁情報、該頁内の座標情報、および関連データ４の所在を示す所在情報から構成されており、マウスでクリックするなどの所定の操作により位置指定した場合に、表示すべき関連データを特定するものである。
【００４９】
ＱｕａｒｋＸＰｒｅｓｓ（登録商標）などのＤＴＰソフトで印刷頁の作成を行う場合、ソフトの機能により文字列や画像などを配置した頁内の座標データを取得することが可能であり、リンク情報５として、少なくとも頁情報および頁内の座標情報を出力し、関連データ４の所在情報だけを追加して、簡便な操作で作成することも可能である。
【００５０】
電子書籍閲覧手段６は、三次元表示手段７、頁捲り手段８、アニメーション手段９、三次元操作手段１０、関連表示手段１１を備えており、電子書籍をディスプレイ上に表示し操作を可能にするものである。
【００５１】
三次元表示手段７は、書籍モデルデータ１の三次元立体表示、および頁を三次元で再現する頁モデルの表示形状に合わせて、画像データ２をマッピングし、透明グリッドデータ３を重ねて、ディスプレイ上に電子書籍を表示するものである。
【００５２】
三次元表示手段７は、まず、何もマッピングしない白紙状態において、ディスプレイ上に書籍モデルデータ１を三次元立体表示し、次に、読者の操作により基準頁として特定される頁（最初に開いた時は先頭頁でもよい）に対応する画像データ２を第１の頁モデルにマッピングし、次に、基準頁の次の頁に対応する画像データ２を第２の頁モデルへマッピングし、更に、表示されている見開き２頁（第１の頁モデルおよび第２の頁モデル）に対して、透明グリッドデータ３を重ねて表示する、ことにより電子書籍を表示する。
【００５３】
頁捲り手段８は、例えば、画面上に設置したボタンを押下したり、捲りたい頁モデルをマウスなどでドラッグするなどの動作により、当該時点で表示されている見開きの２頁から前後の頁へ、頁を捲りながら移動するアニメーションを再現するものである。
【００５４】
図４は、２１頁と２２頁が表示されており、頁を捲って、次の２３頁と２４頁を表示する場合の説明図である。
【００５５】
以下の説明においては、第１の頁モデル１２と、第１の頁モデル１２と見開き２頁の対を成す第２の頁モデル１３と、第２の頁モデル１３と表裏の関係を成す第３の頁モデル１４と、第３の頁モデル１４と見開き２頁の対を成す第４の頁モデル１５との４頁分の頁モデルと、各々の頁に対応する「Ｐ２１．ｊｐｇ」、「Ｐ２２．ｊｐｇ」、「Ｐ２３．ｊｐｇ」、「Ｐ２４．ｊｐｇ」の４つの画像データ２を用いて説明する。
【００５６】
まず、例えば、２１頁を表示する頁モデルを基準頁として、開いている第１の頁モデル１２に２１頁に対応する「Ｐ２１．ｊｐｇ」を、見開き状態の第２の頁モデル１３に２２頁に対応する「Ｐ２２．ｊｐｇ」をマッピングする。
【００５７】
後続の２３頁および２４頁へ移動するために、例えば、表示されている２２頁をマウスでドラッグして頁捲りを開始すると、第２の頁モデル１３の頁捲りアニメーション動作が始まり、第２の頁モデル１３を捲るアニメーション動作により第４の頁モデル１５が見え始めるので、基準頁である２１頁から３頁目である２４頁に対応する「Ｐ２４．ｊｐｇ」を第４の頁モデル１５にマッピングする。
【００５８】
更に、頁捲りが進むと、第２の頁モデル１３の裏側として第３の頁モデル１４が見え始めるため、基準頁から２頁目である２３頁に対応する「Ｐ２３．ｊｐｇ」を第３の頁モデル１４にマッピングする。
【００５９】
以上により、２１頁と２２頁が見開き２頁として表示されている状態から、２２頁を捲ると、２４頁が見え始め、更に頁捲りが進むと２２頁の裏側の２３頁が見え始めるアニメーションを再現することができる。
【００６０】
第２の頁モデル１３が捲り終わり、第３の頁モデル１４が完全に開いた時に、瞬時に、第１の頁モデルに「Ｐ２３．ｊｐｇ」をマッピングする。
【００６１】
更に、目視不可能な速度で、第３の頁モデル１４を透明にして、開いている第４の頁モデル１５の方向に捲り戻し、透明な第３の頁モデルが第４の頁モデル１５の上に戻り切った時に、第３の頁モデル１４の裏側として表示される第２の頁モデル１３に「Ｐ２４．ｊｐｇ」をマッピングする。
【００６２】
最終的に、見開きで表示されているのは、「Ｐ２３．ｊｐｇ」がマッピングされた第１の頁モデル１２と、「Ｐ２４．ｊｐｇ」がマッピングされた第２の頁モデル１３であり、２１頁と２２頁から２３頁と２４頁に移動したことになる。
【００６３】
第３の頁モデル１４にマッピングしてある「Ｐ２３．ｊｐｇ」と、第４の頁モデル１５にマッピングしてある「Ｐ２４．ｊｐｇ」は、マッピングしたままでもよいが、動作を軽快にするために破棄する方が好適である。
【００６４】
次に、図５を用いて、見開き２頁に２３頁と２４頁が表示されている状態から、頁を戻して、２１頁と２２頁を表示する場合を説明する。
【００６５】
まず、例えば、２３頁を表示する頁モデルを基準頁として、開いている第１の頁モデル１２に２３頁に対応する「Ｐ２３．ｊｐｇ」を、見開き状態の第２の頁モデル１３に２４頁に対応する「Ｐ２４．ｊｐｇ」をマッピングする。
【００６６】
前の２１頁および２２頁へ移動するために、例えば、表示されている２３頁をマウスでドラッグして頁戻りを開始すると、目視不可能な速度で、第２の頁モデル１３を透明にして、第１の頁モデル１２の方へ捲る。
【００６７】
透明にした第２の頁モデル１３が捲り終わる瞬間に、第２の頁モデル１３の裏側として表示される第３の頁モデル１４に「Ｐ２３．ｊｐｇ」を、第３の頁モデル１４の見開きとして表示される第４の頁モデル１５に「Ｐ２４．ｊｐｇ」をマッピングする。
【００６８】
透明にした第２の頁モデル１３が捲られ、第３の頁モデル１４と第４の頁モデル１５が表示されるが、表示された見開き２頁にマッピングされた画像データ２は、「Ｐ２３．ｊｐｇ」と「Ｐ２４．ｊｐｇ」であり、読者からみると表示されている頁自体は変化していない状態である。
【００６９】
ここで、表示されている第３の頁モデル１４を頁戻り方向へ捲り始めると、第３の頁モデル１４を捲るアニメーション動作により見え始める第１の頁モデル１２に、基準頁である２３頁から２頁前の２１頁に対応する「Ｐ２１．ｊｐｇ」をマッピングする。
【００７０】
更に頁戻りが進むと、第３の頁モデル１４が捲られることにより第３の頁モデル１４の裏側として第２の頁モデル１３が見え始めるため、２３頁の１頁前に対応する「Ｐ２２．ｊｐｇ」を第２の頁モデル１３にマッピングする。
【００７１】
最終的に、見開きで表示されているのは、「Ｐ２１．ｊｐｇ」がマッピングされた第１の頁モデル１２と、「Ｐ２２．ｊｐｇ」がマッピングされた第２の頁モデル１３であり、開いていた２３頁および２４頁から、２１頁と２２頁へ戻るアニメーションを再現することができる。
【００７２】
第３の頁モデル１４にマッピングしてある「Ｐ２３．ｊｐｇ」と、第４の頁モデル１５にマッピングしてある「Ｐ２４．ｊｐｇ」は、マッピングしたままでもよいが、動作を軽快にするために破棄する方が好適である。
【００７３】
アニメーション手段９は、例えば、電子書籍を「開く」、「閉じる」、複数の電子書籍を収納した本棚のモデルを用いて、電子書籍を「取り出す」、「戻す」などの動作をアニメーションで再現するものである。
【００７４】
三次元操作手段１０は、ディスプレイに表示した電子書籍を、拡大、縮小、回転、移動などの操作により、三次元物体として操作するものである。
【００７５】
画像データ２は、頁捲り手段８および三次元操作手段１０においても、頁を捲るアニメーション動作および三次元物体の操作のアニメーションにより表示される頁の動作や頁の表示形状に追随して書籍モデルデータ１の各頁モデルにマッピングされるため、電子書籍を閉じている以外の状態において、何が掲載された頁であるかを常に目視可能である。
【００７６】
関連表示手段１１は、表示された頁内の任意の場所をマウスでクリックするなどの方法により位置指定が行われた場合、透明グリッドデータ３により位置指定個所の座標を取得し、該座標によりリンク情報５を検索し、当該座標を含む行に記載されている関連データの所在情報に基づき、関連データを所定の位置に表示するものである。
【００７７】
書籍モデルデータ１を、インターネット上で三次元立体像を自由に回転、移動、拡大、縮小することが可能なＷｅｂ３Ｄと言われる技術により記述し、Ｗｅｂ３Ｄを実行可能なＷｅｂブラウザ上で動作させる場合、パソコンなどの装置に電子書籍閲覧手段６を動作させるための特別なソフトを導入する必要がなく、好適である。
【００７８】
書籍モデルデータ１、画像データ２、透明グリッドデータ３、およびリンク情報５は、ネットワークを介して接続されたサーバの記憶装置、または電子書籍閲覧手段６が動作するクライアントの記憶装置、またはクライアントに装着して使用するＣＤやＤＶＤなどの着脱可能な記憶媒体に記憶させることができる。
【００７９】
各データをどこに記憶した場合においても、電子書籍閲覧手段６の要求に基づき、サーバ、クライアント、またはクライアントに接続された記憶媒体読取装置から、当該時点の表示に必要なデータを順次電子書籍閲覧手段６へ供給する。
【００８０】
関連データ５は、電子書籍閲覧手段６がリンク情報５に基づいてアクセス可能な、サーバ、またはクライアント、または他のコンピュータシステムに記憶させることが可能である。
【００８１】
したがって、本発明の電子書籍は、インターネットなどを利用して提供することも、クライアント単体で動作するように着脱可能な記憶媒体により提供することの両方の提供形態が可能である。
【００８２】
また、図６に示すように、電子書籍閲覧手段６において、栞モデルデータ１６、栞位置データ１７、栞挿入位置指定手段１８、栞位置記録手段１９、栞表示手段２０を設けることにより、頁捲り手段６によりどの頁に移動した場合でも、以前に閲覧した頁を覚えておくことができ、より印刷物に類似した操作が可能になる。
【００８３】
栞モデルデータ１６は、書籍モデルデータ１により三次元立体物として再現された電子書籍に対して、栞のモデルを再現するものである。
【００８４】
栞位置データ１７は、書籍モデルデータ１により三次元立体物として再現された電子書籍において、栞を挿入した位置を記録するものである。
【００８５】
栞挿入位置指定手段１８は、任意の頁が開いている状態において、例えば、「栞挿入」ボタンを押下したり、マウスで当該頁をクリックするなどの操作により、栞を挿入する頁を指定するものである。
【００８６】
栞位置記録手段１９は、栞挿入位置指定手段１８により、栞の挿入を指示された頁情報などを、開いている基準頁などから栞挿入位置情報として栞位置データ１７に記録するものである。
【００８７】
栞表示手段２０は、書籍モデルデータ１から電子書籍を三次元立体表示する際に、栞位置データ１７を参照し、栞挿入位置情報が記録されていれば、栞モデルデータ１６を該当する頁の相当位置に栞モデルを再現するものである。
【図面の簡単な説明】
【００８８】
【図１】本発明の電子書籍の構成図である。
【図２】本発明の透明グリッドデータの説明図である。
【図３】本発明のリンク情報の説明図である
【図４】本発明の後続の頁へ移動する場合の頁捲り動作の説明図である
【図５】本発明の頁を戻る場合の頁捲り動作の説明図である。
【図６】本発明の電子書籍閲覧手段に栞を導入した場合の構成図である。
【符号の説明】
【００８９】
１  書籍モデルデータ
２  画像データ
３  透明グリッドデータ
４  関連データ
５  リンク情報
６  電子書籍閲覧手段
７  三次元表示手段
８  頁捲り手段
９  アニメーション手段
１０  三次元操作手段
１１  関連表示手段
１２  第１の頁モデル
１３  第２の頁モデル
１４  第３の頁モデル
１５  第４の頁モデル
１６  栞モデルデータ
１７  栞位置データ
１８  栞挿入位置指定手段
１９  栞位置記録手段
２０  栞表示手段
【図１】
2005063287.tif 000003
【図２】
2005063287.tif 000004
【図３】
2005063287.tif 000005
【図４】
2005063287.tif 000006
【図５】
2005063287.tif 000007
【図６】
2005063287.tif 000008